(57)【要約】【課題】  ウエストサイズの調節可能な作業用上衣について、ウエストサイズの不調節時および調節時のいずれにおいても、両脇部に隙間や皺が発生しない作業用上衣を提供する。【解決手段】  前後身頃の左右両脇部において、その下方部を裾ベルト部とともに前後に分離させて縦長の間隙を形成し、その間隙に平面形状が細長い脇襠布を縫い付け、該脇襠布の下端辺を裾ベルト部の下端辺とほぼ一致させ、該脇襠布の厚みが均一で縦方向に容易に曲がることにより、調節片を通常位置で止着すると脇襠布が平らなままで通常のウエストサイズを維持し、該調節片の止着位置を変更すると脇襠布が折り曲げられてウエストサイズが小さくなる。【選択図】図１
0003108617.tif 000002
【実用新案登録請求の範囲】
【請求項１】
止着位置が変更可能な調節帯片を裾ベルト部の左右両脇部に縫着した作業用上衣であって、前後身頃の左右両脇部において、その下方部を裾ベルト部とともに前後に分離させて縦長の間隙を形成し、その間隙に平面形状が細長い脇襠布を縫い付け、該脇襠布の下端辺を裾ベルト部の下端辺とほぼ一致させ、該脇襠布の厚みが均一で縦方向に容易に曲がることにより、調節片を通常位置で止着すると脇襠布が平らなままで通常のウエストサイズを維持し、該調節片の止着位置を変更すると脇襠布が折り曲げられてウエストサイズが小さくなる作業用上衣。
【請求項２】
脇襠布および前後身頃は同じ生地からなり、該脇襠布を下端辺で折り曲げた２枚合わせ布地で構成する請求項１記載の作業用上衣。
【請求項３】
脇襠布は前後身頃の生地と異なる布地からなり、該脇襠布は、その下端辺を裾ベルト部の下端辺と一致させた１枚布地である請求項１記載の作業用上衣。
【請求項４】
裾ベルト部の左右両脇部に縫着した調節帯片は該ベルト部とほぼ同幅であり、該調節帯片の先端部に留め具を固着し、且つ裾ベルト部において離隔した少なくとも２個の留め具受けを固着することにより、ウエストサイズの不調節時には、調節帯片の留め具を近傍側の留め具受けと嵌合させ、ウエストサイズの調節時には、調節帯片の留め具を遠隔側の留め具受けと嵌合させる請求項１記載の作業用上衣。
【考案の詳細な説明】
【技術分野】
【０００１】
本考案は、ウエストサイズの調節可能な作業用上衣に関し、特に、ウエストサイズの不調節時および調節時のいずれにおいても、両脇部に隙間や皺が発生しない作業用上衣に関する。
【背景技術】
【０００２】
作業用上衣は、現業作業が容易なように機能性、耐久性や汎用性を考慮した衣服であり、ブルゾンと同様にカジュアルウェアとして着用されることも多い。作業用上衣やブルゾンでは、裾ベルト部の一部を脇ゴムにしてウェストサイズの調節可能な態様のものが現在の主流であり、この脇ゴムを縫着するとウェストサイズの調節範囲が広くなり、太った人からやせた人まで１サイズで対応できる。この反面、脇ゴムを取り付けた作業用上衣やブルゾンは、ゴムの伸縮による圧迫感ならびに挙手などの諸動作に付随して裾部のずれ上がりを回避できず、特に肥満体の人にとっては着心地の良くない衣服である。
【０００３】
前記の圧迫感や裾部のずれ上がりの問題を改善するために、登録実用新案第３０４００５４号は、ブルゾンの裾ベルト部において、牽引片をゴムを介して縫着している。この牽引片の係止金具を掛ける留め金具を該牽引片から離れた位置に固着することにより、ウエストサイズの不調節時には裾ベルト部を伸縮させずにフリーであり、ウエストサイズの調節時のみ裾ベルト部を収縮させる。
【０００４】
登録実用新案第３０９２２５３号は、前後身頃の左右両脇裾部に所定長さのスリットとなる脇開き部を形成するとともに、裾ベルト部の一方に細長い帯片に縫着し、且つ裾ベルト部の他方に止着手段を取り付けることにより、脇開き部のスリットを挟窄して裾幅を調節可能とする。また、登録実用新案第３０９４８６２号は、前記と同様に左右両脇部に所定長さのスリットを形成し、後方の裾ベルト部に調整帯片を延設し且つ２〜３個のドットボタンを適当な間隔で固着し、一方、前方の裾ベルト部には調整帯片を通す長寸の角リング体を取り付けることにより、調整帯片で締め付けると裾幅が調節可能である。
【特許文献１】登録実用新案第３０４００５４号公報
【特許文献２】登録実用新案第３０９２２５３号公報
【特許文献３】登録実用新案第３０９４８６２号公報
【考案の開示】
【考案が解決しようとする課題】
【０００５】
前記の各文献において、登録実用新案第３０４００５４号の作業用上衣では、留め金具を固着した裾ベルト部の布地が牽引片で引っ張られるため、薄手の布地であると留め金具の固着個所が損傷されやすく、合成樹脂材などの間隔保持板を裾ベルト部の布地内に収納するので上衣の着心地も悪くなる。登録実用新案第３０９２２５３号は、ウエストサイズの不調節時に左右両脇裾部のスリットが開くので上衣の見栄えが悪く、そこを風が通るので冬期には寒い。また、登録実用新案第３０９４８６２号は、スリット部にメッシュ素材などの襠布を縫い止めしていても、該襠布は裾ベルト部に存在しないので見栄えが良くなく、ウエストサイズの調節時に襠布部分だけが外方へ飛び出して見苦しいことがある。
【０００６】
本考案は、従来の作業用上衣に関する前記の問題点を改善するために提案されたものであり、ウエストサイズの不調節時および調節時のいずれにおいても、両脇部における調節可能個所が目立たず、両脇部がすっきりとして機能的な作業用上衣を提供することを目的としている。
【課題を解決するための手段】
【０００７】
本考案に係る作業用上衣は、止着位置が変更可能な調節片を裾ベルト部の左右両脇部に縫着している。本考案の作業用上衣は、前後身頃の左右両脇部において、その下方部を裾ベルト部とともに前後に分離させて縦長の間隙を形成し、その間隙に平面形状が細長い脇襠布を縫い付け、該脇襠布の下端辺を裾ベルト部の下端辺とほぼ一致させる。この脇襠布の厚みが均一で縦方向に容易に曲がることにより、調節片を通常位置で止着すると脇襠布が平らなままで通常のウエストサイズを維持し、該調節片の止着位置を変更すると脇襠布が折り曲げられてウエストサイズが小さくなる。
【０００８】
本考案の作業用上衣は、脇襠布および前後身頃は同じ布地からなり、該脇襠布を下端辺で折り曲げられた２枚合わせ布地で構成すると好ましい。また、本考案について、脇襠布が前後身頃の生地と異なる布地からなり、該脇襠布は、その下端辺を裾ベルト部の下端辺と一致させた１枚布地であってもよい。
【０００９】
本考案の作業用上衣において、裾ベルト部の左右両脇部に縫着した調節帯片は該ベルト部とほぼ同幅であり、該調節帯片の先端部に留め具を固着し、且つ裾ベルト部において離隔した少なくとも２個の留め具受けを固着する。これによって、ウエストサイズの不調節時には、調節帯片の留め具を近傍側の留め具受けと嵌合させ、ウエストサイズの調節時には、調節帯片の留め具を遠隔側の留め具受けと嵌合させる。
【００１０】
本考案を図面によって説明すると、本考案の作業用上衣１は、図１に示すように、前身頃２，２と後身頃３とを筒状に縫製し、前身頃２，２の前開き部にチャック７、ボタンまたは両面テープなどを縫着して開閉自在とするブルゾンタイプである。本考案の作業用上衣は、裾ベルト部８を有していれば、図示のようなブルゾンタイプのほかに、筒状やＶ字状のハイネックを有するワークシャツタイプに適用してもよく、作業着でないカジュアルウェアやスポーツウェアなどに適用することも可能である。
【００１１】
本考案において、裾ベルト部８は、脇襠布２４，２４で分断された前合わせ環状に構成する。裾ベルト部８は、通常、前後身頃２，３と同じ生地からなり、２枚合わせ生地の周囲を飾り縫いし、所望に応じて、変形しにくいように芯地を入れてもよい。裾ベルト部８および調節帯片２６は、服装デザインに応じて前後身頃２，３と異なる生地、色彩または模様にすることも可能である。また、作業用上衣１は、長袖、半袖またはベストのいずれでもよい。当然のことながら、胸ポケット１２，１４、スラッシュポケット１６，１６、腕ポケット１８、横長のヨーク布６の有無、衿の形状についても任意である。
【００１２】
作業用上衣１は、前後身頃２，３の左右両脇部２０において、それぞれ縦長の間隙２２を形成する。間隙２２の平面形状は、下辺の長さ２５〜５０ｍｍ、高さ１００〜２００ｍｍ程度の細長い三角形状であり、この間隙の大きさは所望のウェストサイズ調整度に応じて定め、左右で異なる平面形状にすることも可能である。間隙２２の平面形状は、細長い三角形状が一般的であるけれども、服装デザインに応じて細長い逆Ｕ字形や長方形などにすることも可能である。
【００１３】
脇襠布２４は、間隙２２を全面的に塞ぐように縫い付け、例えば、前後身頃２，３と同じ生地からなり、該脇襠布を下端辺で折り曲げ、その下端辺を裾ベルト部８の下端辺と一致させた２枚合わせ布地で構成する。この脇襠布は、前後身頃２，３の生地と異なる布地、色彩、模様でもよく、その下端辺を裾ベルト部８の下端辺と一致させた１枚布地であってもよい。
【００１４】
本発明で用いる調節帯片２６は、裾ベルト部８と同様に前後身頃２，３と同じ生地で２枚合わせで袋縫いすればよく、さらに芯地を入れることも任意である。調節帯片２６は、その先端の平面形状が図示のような三角形、半円形、矩形などであり、その幅は、通常、裾ベルト部８とほぼ同じまたは多少狭くする。調節帯片２６の先端には、留め具または留め具受けを取り付ける。調節帯片２６の長さは、裾ベルト部８における２個の留め具受けまたは留め具の取付位置に応じて定め、長寸の角リング体などで該帯片を折り返す構成の場合には２倍近くの長さにする。
【００１５】
凹型プレスボタン２８のような留め具および凸型プレスボタン３０，３２のような留め具受けは、それぞれ調節帯片２６または裾ベルト部８に固着する。留め具および留め具受けとして、図示のようなプレスボタン２８，３０，３２の代わりに、通常のスナップ、ホック、ボタンとボタン穴、両面ファスナなどを用いてもよい。
【００１６】
裾ベルト部８において、留め具受けまたは留め具は２個または３個以上固着することができ、図２から図４では２個を離隔させて固着している。これらの留め具受けを３個以上固着すれば、ウェストサイズを２段階以上で調節できる。また、調節帯片２６を短くして、留め具がフリーの状態をウエストサイズの不調節時とすれば、２個の留め具受けを固着して２段階のウェストサイズ調節が可能である。
【考案の効果】
【００１７】
本考案に係る作業用上衣は、ウエストサイズの調節が可能であっても、左右両脇部における調節可能個所が目立たず、不調節時および調節時のいずれの場合でも両脇部がデザイン的にすっきりしている。本考案の作業用上衣では、ウエストサイズの不調節時に左右両脇裾部の下方部が開くことがなく、両脇裾部の下方部を風が通らないのでが冬期に保温性の低下が生じない。
【００１８】
本考案の作業用上衣において、脇襠布および上衣の前後身頃が同じ生地からなり、該脇襠布を下端辺で折り曲げた２枚合わせ布地で構成すると、脇襠布が適度に曲がりやすく、しかも必要以上に柔らかくないから、作業用上衣としての美観及び機能性を維持するうえで好ましい。
【考案を実施するための最良の形態】
【００１９】
次に、本考案を実施例に基づいて説明すると、図１に示す本考案の作業用上衣１は、前身頃２，２と後身頃３（図２）とで構成し、さらに２本の長袖部５，５を有する。前身頃２，２と後身頃３とは筒状に縫製し、さらにシャツ上部に横長のヨーク布６を縫い付けてシャツ肩部を縫製してから、筒状の長袖部５，５を縫着する。前身頃２，２の前開き部には、チャック７を縫着して開閉自在とする。
【００２０】
裾ベルト部８は、作業用上衣１の裾部において、前身頃２，２および後身頃３に亘って前合わせ環状に縫製し、該ベルト部の前面部と前立て部９とをプレスボタン１０によって開閉可能にする。裾ベルト部８は、通常、前後身頃２，３と同じ生地からなり、２枚合わせして縫製した生地の周囲をさらに飾り縫いし、比較的変形しにくくて平らである。
【００２１】
作業用上衣１は、各前身頃２の上方に胸ポケット１２，１４を備え、一方がフラップ付きのパッチポケット１２であり、他方がチャック付きのパッチポケット１４である。さらに、各前身頃２の下方には、左右対称のスラッシュポケット１６，１６を形成し、左側の長袖部５の上方に携帯電話機用の細長い腕ポケット１８を設ける。
【００２２】
図２から図４に示すように、前後身頃２，３の左右両脇部２０の下方部を裾ベルト部８とともに前後に分離させ、それぞれ縦長の間隙２２を形成する。間隙２２の平面形状は、下辺の長さ３５ｍｍ、高さ１４０ｍｍ程度の細長い三角形状である。両間隙２２には、平面が三角形状の脇襠布２４を前後身頃２，３の側縁および裾ベルト部８の脇側端部に縫い付け、全面的に一体化する。脇襠布２４は、前後身頃２，３と同じ生地からなり、下端辺で折り曲げた２枚合わせ布地で構成する。脇襠布２４は、その下端辺を裾ベルト部８の下端辺と一致させて縫着する。
【００２３】
裾ベルト部８の前側の脇端部において、脇襠布２４の縫い付けと同時に調節帯片２６を水平に縫着する。調節帯片２６は、前後身頃２，３と同じ生地を２枚合わせで袋縫いし、先端が三角形平面で所定の長さを有し、その幅は裾ベルト部８とほぼ同じである。調節帯片２６の先端部には、留め具である凹型プレスボタン２８を固着する。また、裾ベルト部８には、離隔した２個の留め具受けつまり凸型プレスボタン３０，３２を固着する。
【００２４】
近傍側のプレスボタン３０は、該ボタンと調節帯片２６の基端との距離が該調節帯片の長さとほぼ一致する位置に取り付け、ボタン２８をボタン３０と嵌合した際に脇襠布２４が平らなままである（図３参照）。一方、遠隔側のプレスボタン３２は、該ボタンと調節帯片２６の基端との距離が該調節帯片の長さよりも大きい位置に取り付けることにより、ボタン２８をボタン３２と嵌合した際に、脇襠布２４は縦方向に曲げられて折り畳まれる（図４参照）。
【００２５】
作業用上衣１について、ウエストサイズの調節を要しない時には、調節帯片２６の凹型プレスボタン２８を近傍側の凸型プレスボタン３０と嵌合しておけばよい。この際には、図３に示すように脇襠布２４が曲げられることはなく、作業用上衣１のウエストサイズは通常である。作業用上衣１において、左右両脇部２０は平らなままで目立たず、デザイン的にすっきりしている。
【００２６】
一方、ウエストサイズの調節を要する時には、調節帯片２６の凹型プレスボタン２８を遠隔側の凸型プレスボタン３２と嵌合する。この際には、図４に示すように脇襠布２４は縦方向に曲げられて折り畳まれて殆ど隠れてしまい、作業用上衣１のウエストサイズは小さくなる。この際に、縦方向に曲げられた脇襠布２４は、調節帯片２６によって内方へ押さえ付けられるので、前後身頃２，３から外方へ飛び出すことはない。
【図面の簡単な説明】
【００２７】
【図１】本考案に係る作業用上衣を示す概略正面図である。
【図２】帯片を外した状態の作業用上衣の両脇部下方を示す要部側面図である。
【図３】ウエストサイズの不調節時における作業用上衣の両脇部下方を示す要部側面図である。
【図４】ウエストサイズの調節時における作業用上衣の両脇部下方を示す要部側面図である。
【符号の説明】
【００２８】
１    作業用上衣
８    裾ベルト部
２０    左右両脇部
２２    縦長の間隙
２４    脇襠布
２６    調節帯片
２８    凹型プレスボタン
３０，３２    凸型プレスボタン
【図１】
0003108617.tif 000003
【図２】
0003108617.tif 000004
【図３】
0003108617.tif 000005
【図４】
0003108617.tif 000006